(57)【要約】【課題】非使用時に、筆記用ボールがチップ先端部の内壁面に密接するボールペンチップにおいて、筆記用ボールの略中心に、押圧力を付与することができ、コイルスプリングの棒軸部が、放射状溝を閉鎖することのないボールペンチップを提供することである。【解決手段】本発明は、ボールペンチップにおいて、筆記用ボールの後方に、該筆記用ボールの径及びインキ流通孔径よりも小さい小径ボールを回転自在に配設し、該小径ボールを、コイルスプリングによりチップ先端部側に押圧し、前記小径ボールによって、前記筆記用ボールをチップ先端部の内壁に密接する弁機構を具備するとともに、前記インキ流通孔に、ボールペンチップの軸心側に肉盛り状に延びる肉盛り部を形成するとともに、前記小径ボールとコイルスプリングとの当接部が、前記放射状溝よりもチップ後端側に位置することを特徴とする。【選択図】        図１
2010069617.tif 000002
【特許請求の範囲】
【請求項１】
チップ本体内に、ボール抱持室の底壁の中央に形成したインキ流通孔と、該インキ流通孔から放射状に延びる放射状溝とを有し、前記底壁に筆記用ボールを挿置し、チップ先端部を内側にかしめることにより、筆記用ボールの一部をチップ先端部より突出させて回転自在に抱持してなるボールペンチップにおいて、前記筆記用ボールの後方に、該筆記用ボールの径及び前記インキ流通孔径よりも小さい小径ボールを回転自在に配設し、該小径ボールを、コイルスプリングによりチップ先端部側に押圧し、前記小径ボールによって、前記筆記用ボールをチップ先端部の内壁に密接する弁機構を具備するとともに、前記インキ流通孔に、ボールペンチップの軸心側に肉盛り状に延びる肉盛り部を形成するとともに、前記小径ボールとコイルスプリングとの当接部が、前記放射状溝よりもチップ後端側に位置することを特徴とするボールペンチップ。
【請求項２】
前記小径ボールの硬度が、筆記用ボールの硬度よりも低いことを特徴とする請求項１に記載のボールペンチップ。
【請求項３】
前記小径ボールよりもチップ後端部側に、前記小径ボールのチップ後端部側の移動を規制する移動規制手段を設けることを特徴とする請求項１または２に記載のボールペンチップ。
【発明の詳細な説明】
【技術分野】
【０００１】
本発明は、チップ本体内に、ボール抱持室の底壁の中央に形成したインキ流通孔と、該インキ流通孔から放射状に延びる放射状溝とを有し、前記底壁に筆記用ボールを挿置し、チップ先端部を内側にかしめることにより、筆記用ボールの一部をチップ先端部より突出させて回転自在に抱持してなるボールペンチップに関する。
【背景技術】
【０００２】
ボールの後端に、コイルスプリングを配設し、このコイルスプリングの押圧力によって、ボールをチップ先端部の内壁面に密接させるとともに、筆記時の筆圧によってボールとチップ先端部の内壁とに隙間を形成する弁機構を具備したボールペンチップはよく知られて、特開２０００−１５８８６９号公報「ボールペンチップ」には、コイルスプリングの棒軸部が移動しても、棒軸部が、放射状溝を閉鎖しない構造が開示されている。
【０００３】
また、チップ先端部に弁機構を具備したボールペンチップにおいて、特開２００６−１９８８３５号公報「ボールペンチップ」では、コイルスプリングの棒軸部のバリによる筆記不良等の不具合を防止するために、先端ボールの後端に、当接ボールを配設し、該当接ボールを、コイルスプリングにより、前記先端ボールに押圧して配設することが開示されている。
【０００４】
ところで、弁機構を具備したボールペンチップは、ボールをチップ先端部の内壁面に密接することを意図しているが、ボールへの押圧力は、ボールの中心への押圧力を付与することで、ボールの傾きが発生せずにボールをチップ先端部の内壁面に密接しやすくなる。
【特許文献１】「特開２０００−１５８８６９号公報」
【特許文献２】「特開２００６−１９８８３５号公報」
【発明の開示】
【発明が解決しようとする課題】
【０００５】
しかし、特許文献１では、コイルスプリングの線径は、φ０．１ｍｍ〜φ０．３ｍｍと極めて小径であり、この棒軸部に複数の通溝を形成することは非常に困難である。また、中心孔の後端部に、棒軸部の外径よりも小さい通溝を形成することは、製造工程の増加となり、製造コストが高騰する問題があった。
【０００６】
また、特許文献２では、コイルスプリングの棒軸部が移動して、当接ボールの中心から逸れて押圧してしまう問題があり、結果として、当接ボールが筆記ボールの中心を押圧しない、或いは、棒軸部が、放射状溝を閉鎖してしまう等の問題があった。
【０００７】
本発明は上記問題を鑑み、非使用時に、筆記用ボールがチップ先端部の内壁面に密接するボールペンチップにおいて、筆記用ボールの略中心に、押圧力を付与することができ、コイルスプリングの棒軸部が、放射状溝を閉鎖することのないボールペンチップを提供するものである。
【課題を解決するための手段】
【０００８】
前記目的を達成するために本発明では、チップ本体内に、ボール抱持室の底壁の中央に形成したインキ流通孔と、該インキ流通孔から放射状に延びる放射状溝とを有し、前記底壁に筆記用ボールを挿置し、チップ先端部を内側にかしめることにより、筆記用ボールの一部をチップ先端部より突出させて回転自在に抱持してなるボールペンチップにおいて、前記筆記用ボールの後方に、該筆記用ボールの径及び前記インキ流通孔径よりも小さい小径ボールを回転自在に配設し、該小径ボールを、コイルスプリングによりチップ先端部側に押圧し、前記小径ボールによって、前記筆記用ボールをチップ先端部の内壁に密接する弁機構を具備するとともに、前記インキ流通孔に、ボールペンチップの軸心側に肉盛り状に延びる肉盛り部を形成するとともに、前記小径ボールとコイルスプリングとの当接部が、前記放射状溝よりもチップ後端側に位置することを特徴とする。
【０００９】
また、前記小径ボールの硬度が、筆記用ボールの硬度よりも低いことを特徴とする。
【００１０】
さらにまた前記小径ボールよりもチップ後端部側に、前記小径ボールのチップ後端部側の移動を規制する移動規制手段を設けることを特徴とする。
【発明の効果】
【００１１】
本発明は、非使用時に、筆記用ボールがチップ先端部の内壁面に密接するボールペンチップにおいて、筆記用ボールの略中心に、押圧力を付与することができ、コイルスプリングが、放射状溝を閉鎖することのないボールペンチップを提供することができた。
【発明を実施するための最良の形態】
【００１２】
実施例１
以下、図面を参照して本発明の実施例を説明するが、本発明のボールペンチップは実施例に限定されるものではない。尚、図面中、同じ部材、同じ部品については同じ番号を付してある。
【００１３】
図１から図３に示すボールペンチップ１は、先ず、チップ本体２内に、ボール抱持室３の底壁４の中央に、インキ流通孔６と該インキ流通孔６に連通する放射状に延びた放射状溝８を形成する。その後、底壁４に筆記用ボール１０を載置し、ハンマーリング加工によって筆記用ボール１０と略同形のボール座５を設け、チップ先端部２ａを内側にかしめることにより、筆記用ボール１０の一部がチップ先端部２ａより突出するように回転自在に抱持している。また、放射状溝８の後端面とインキ流通孔６の接合部に、ボールペンチップの軸心Ｊ側に肉盛り状に延びる肉盛り部９を形成してある。
【００１４】
筆記用ボール１０の後方には、小径ボール１１を回転自在に配設し、該小径ボール１１の後方には、小径ボール１１をチップ先端部２ａ側に押圧する、先端に棒軸部１２ａを有するコイルスプリング１２を配設してある。この時、小径ボール１１とコイルスプリングの棒軸部１２ａとの当接部Ｓは、放射状溝８よりもチップ後端側に位置している。
【００１５】
また、後部孔７には、小径ボール１１の後方への移動を防止するたの移動規制手段として、移動規制部材１３を嵌着してある。移動規制部材１３は、先端側が小径ボール１１の径よりも小さい通過孔１３ａと、インキが流通する通孔１３ｂを設けてある。また、通過孔１３ａは、コイルスプリング１２の棒軸部１２ａが軸心Ｊ側に移動規制するように、後端側から先端側に向かって除々に縮径するように形成してある。
【００１６】
筆記用ボール１０は、非使用時には、小径ボール１１を介して、コイルスプリング１２の押圧力によってチップ先端部２ａの内壁面に密接しているとともに、筆記時の筆圧によって筆記用ボール１０とチップ先端部２ａの内壁とに隙間を形成して、インキを紙面等に流出する弁機構となっている。
【００１７】
本発明では、放射状溝８の後端面とインキ流通孔６の接合部に、ボールペンチップの軸心Ｊ側に肉盛り状に延びる肉盛り部９を形成しているが、小径ボール１１を回転自在に配設しているため、肉盛り部９に小径ボール１１が当接しても小径ボール１１が回転しながら軸心Ｊ側に移行し、筆記用ボール１０の中心に押圧力を付与することができる。
【００１８】
筆記用ボール１０は、φ０．７ｍｍ、硬度１６００Ｈｖ、タングステンカーバイド系の超硬ボールであり、小径ボール１１は、φ０．３５ｍｍ、硬度８００Ｈｖのステンレス製のボールである。また、コイルスプリング１２の線径は、０．１５ｍｍであり、インキ流通孔６径は、φ０．４５ｍｍであった。
【００１９】
インキ収容筒（図示せず）から筆記用ボール１０までのボールペン用インキの流れは、先ず、インキ収容筒から移動規制部材１３の連通孔１３ａ及び通孔１３ｂから後部孔７、インキ流通孔６を通じて、小径ボール１１に流れる。その後、放射状溝８及び小径ボール１１とインキ流通孔６との隙間を通って、筆記用ボール１０に達している。このように筆記用ボール１０にインキが達するため、新たにインキが流通する溝等を形成する必要もなく、製造行程の増加を抑制することができる。
【００２０】
筆記用ボール１０及び小径ボール１１の材質は、特に限定されるものではない。但し、筆記用ボール１０に対し、小径ボール１１の硬度を低くすることで、高筆圧による筆記時に、筆記用ボール１０に傷等が発生し難く、線切れ等の筆記不良が発生しないため最も好ましい。具的的には、筆記用ボール１０の硬度が、小径ボール１１の硬度の２倍以上であることが望ましい。
【００２１】
また、筆記用ボール１０表面の算術平均粗さ（Ｒａ）よりも、小径ボール１１表面の算術平均粗さ（Ｒａ）が小さいほうが好ましい。これは、小径ボール１１表面の算術平均粗さ（Ｒａ）が、筆記用ボール１０表面の算術平均粗さ（Ｒａ）より大きいと、筆記用ボール１０の回転の弊害となることが危惧され、線飛び等の筆記不良の原因となるためである。また、小径ボール１１の算術平均粗さ（Ｒａ）は、５ｎｍ以下であることが望ましい。
【００２２】
さらに、小径ボール１１の径及びインキ流通孔６径は特に限定されるものではないが、小径ボール１１の径と、インキ流通孔６径との差が小さい程、筆記用ボール１０の中心を押圧し易く好ましいが、小径ボール１１の径がインキ流通孔６径の５０％未満では、棒軸部１２ａが、小径ボール１１とインキ流通孔６間に入り込む恐れがあり、小径ボール１１の径がインキ流通孔６径の８０％を超えると、インキの追従性が悪化するため５０％〜８０％、より好ましくは、６０％〜７０％である。
【００２３】
また、肉盛り部９の大きさは特に限定されるものではないが、肉盛り部９の内接円径が小さい程、小径ボール１１が筆記用ボール１０の中心を押圧し易いので好ましく、肉盛り部９の内接円径が、小径ボール１１の径よりも小さくすることが最も好ましい。
【００２４】
さらに、後部孔７に設けた移動規制部材１３は、適宜設けることができるが、小径ボール１１のチップ後端側への移動を規制する移動規制手段を設けることで、小径ボール１１の後端側からの脱落の心配もなく組立性が向上するとともに、移動規制部材１３の通過孔１３ａを通過するコイルスプリング１２の棒軸部１２ａが軸心側に移動規制するので好ましい。尚、本実施例は、便宜上、移動規制手段として、チップ本体とは別の移動規制部材１３を配設してあるが、チップ本体と一体に肉盛り状の移動規制部を設けるものでもよい。
【００２５】
本実施例では、便宜上、先端に棒軸部１２ａを有するコイルスプリング１２を用いているが、棒軸部を有さない構造であってもよい。但し、棒軸部１２ａを有するコイルスプリング１２は、放射状溝８を閉鎖し易いので本発明の効果は顕著である。
【００２６】
また、本実施例では、便宜上、放射状溝８の後端面とインキ流通孔６の接合部に、ボールペンチップの軸心Ｊ側に肉盛り状に延びる肉盛り部９を形成してあるが、コイルスプリング１２の押圧力によって、小径ボール１１を介し、筆記用ボール１０をチップ先端部の内壁に密接する弁機構を具備してあれば、肉盛り部９の形成位置は、ボール座５とインキ流通孔６の接合部等、インキ流通孔６に特に限定されることなく形成することができる。但し、放射状溝８とインキ流通孔６の接合部は、放射状溝８の形成時に発生する部分を肉盛り部９とすることができ、放射状溝８の形成と同時に肉盛り部９を形成できるので、製造工程を増加することがないので最も好ましい。
【００２７】
また、本実施例では便宜上、ボール抱持室３の底壁４にボール座５を形成してあるが、ボール座を形成しないボールペンチップであってもよい。
【産業上の利用可能性】
【００２８】
本発明のボールペンチップは、水性、油性、剪断減粘性を付与したインキ等、インキの種類に限定されることなく、ボールペンチップとして広く利用できるものである。
【図面の簡単な説明】
【００２９】
【図１】実施例１におけるボールペンチップの一部省略した要部縦断面図である。
【図２】図１における一部省略した要部拡大縦断面図である。
【図３】図１におけるボール座形成前のＡ−Ａ断面矢視図である。
【符号の説明】
【００３０】
１  ボールペンチップ
２  チップ本体
２ａ  先端部
３  ボール抱持室
４  底壁
５  ボール座
６  インキ流通孔
７  後部孔
８  放射状溝
９  肉盛り部
１０  筆記用ボール
１１  小径ボール
１２  コイルスプリング
１２ａ  棒軸部
１３  移動規制部材
【図１】
2010069617.tif 000003
【図２】
2010069617.tif 000004
【図３】
2010069617.tif 000005